(57)【要約】【課題】呼の独立性を高め、かつ、リロケーションを行なうことが可能な伝送路資源利用装置を提供する。【解決手段】設定部１０３は、呼を格納する。通信部１０１がリロケーション要求を受信すると、管理部１０４は、その呼と異なる新しい呼と、新しい呼情報とを生成し、その新しい呼情報をその新しい呼に追加する。【選択図】図１
2008109353.tif 000002
【特許請求の範囲】
【請求項１】
伝送路を特定する第一の呼情報を含む第一の呼を格納する格納部と、
前記伝送路を切り替える旨のリロケーション要求を受信する受信部と、
前記受信部が前記リロケーション要求を受信すると、前記第一の呼とは別に第二の呼を生成し、該第二の呼に、前記切り替えられた伝送路を特定する第二の呼情報を追加する管理部と、を含む伝送路資源利用装置。
【請求項２】
請求項１に記載の伝送路資源利用装置において、
携帯端末と無線通信にて接続された無線基地局装置と接続され、
前記無線通信における異常を検知する検知部を含み、
前記管理部は、前記受信部が前記リロケーション要求を受信してから前記第二の呼に前記第二の呼情報を追加するまでに前記検知部が異常を検知すると、前記第二の呼を削除する、伝送路資源利用装置。
【請求項３】
請求項１または２に記載の伝送路資源利用装置において、
前記第一の呼情報は、Ｉｕｒインターフェースを特定するＩｕｒ呼情報と、Ｉｕｂインターフェースを特定するＩｕｂ呼情報とからなり、
前記第二の呼情報は、Ｉｕインターフェースを特定するＩｕ呼情報と、前記Ｉｕｂ呼情報とからなる、伝送路資源利用装置。
【請求項４】
Ｃプレーンの機能を有するＣプレーン装置と、Ｔプレーンの機能を有するＴプレーン装置とを含む伝送路資源利用装置において、
前記Ｃプレーン装置は、
前記伝送路を切り替える旨のリロケーション要求を受信する受信部と、
前記受信部が受信したリロケーション要求を前記Ｔプレーン装置に送信するＣプレーン管理部と、を含み、
前記Ｔプレーン装置は、
前記伝送路を特定する第一の呼情報を含む第一の呼を格納する格納部と、
前記Ｃプレーン装置から前記リロケーションを受信する接続部と、
前記接続部が前記リロケーション要求を受信すると、前記第一の呼とは別に第二の呼を生成し、該第二の呼に、前記切り替えられた伝送路を特定する第二の呼情報を追加するＴプレーン管理部と、を含むことを特徴とする伝送路資源利用装置。
【請求項５】
伝送路を特定する第一の呼情報を含む第一の呼を格納する格納部を含む伝送路資源利用装置が行なう伝送路制御方法であって、
前記伝送路を切り替える旨のリロケーション要求を受信する受信ステップと、
前記リロケーション要求が受信されると、前記第一の呼とは別に第二の呼を生成する生成ステップと、
前記第二の呼に、前記切り替えられた伝送路を特定する第二の呼情報を追加する追加ステップと、を含む伝送路制御方法。
【請求項６】
請求項５に記載の伝送路制御方法において、
前記伝送路資源利用装置は、携帯端末と無線通信にて接続された無線基地局装置と接続され、
前記無線通信における異常を検知する検知ステップと、
前記リロケーション要求が受信されてから前記第二の呼に前記第二の呼情報が追加されるまでに異常が検知されると、前記第二の呼を削除する削除ステップと、をさらに含む伝送路制御方法。
【請求項７】
請求項５または６に記載の伝送路制御方法において、
前記第一の呼情報は、Ｉｕｒインターフェースを特定するＩｕｒ呼情報と、Ｉｕｂインターフェースを特定するＩｕｂ呼情報とからなり、
前記第二の呼情報は、Ｉｕインターフェースを特定するＩｕ呼情報と、前記Ｉｕｂ呼情報とからなる、伝送路制御方法。
【請求項８】
Ｃプレーンの機能を有するＣプレーン装置と、前記通信の伝送路を特定する第一の呼情報を含む第一の呼を格納する格納部を含みＴプレーンの機能を有するＴプレーン装置と、を含む伝送路資源利用装置が行なう伝送路制御方法であって、
前記Ｃプレーン装置が、前記伝送路を切り替える旨のリロケーション要求を受信する受付ステップと、
前記Ｃプレーン装置が、前記受信されたリロケーション要求を前記Ｔプレーン装置に送信する送信ステップと、
前記Ｔプレーン装置が、前記Ｃプレーン装置から前記リロケーションを受信する接続ステップと、
前記Ｔプレーン装置が、前記リロケーション要求を受信すると、前記第一の呼とは別に第二の呼を生成する生成ステップと、
前記Ｔプレーン装置が、前記第二の呼に、前記切り替えられた伝送路を特定する第二の呼情報を追加する追加ステップと、を含む伝送路制御方法。
【発明の詳細な説明】
【技術分野】
【０００１】
本発明は、リロケーションを行なう無線回線制御装置および伝送路制御方法に関する。
【背景技術】
【０００２】
伝送路資源を用いて通信を行なう通信システムでは、その通信の伝送路を制御する伝送路資源利用装置が設けられている。この伝送路資源利用装置が行なう伝送路の制御方法には、様々なものがある。
【０００３】
例えば、特許文献１（特開２００６―２７９６３０号公報）には、生成した呼に、その呼の伝送路を特定する呼情報を追加して伝送路を制御する伝送路資源制御システムが記載されている。
【０００４】
図６は、特許文献１に記載の伝送路資源制御システムの動作を説明する説明図である。
【０００５】
図６において、伝送路資源利用装置（以下、利用装置と呼ぶ）６０１は、外部装置と接続する旨の接続要求を受信すると、その外部装置と接続する伝送路の設定を行なう。
【０００６】
具体的には、先ず、利用装置６０１の伝送路資源管理部（以下、管理部と呼ぶ）６０２は、その接続要求が受信されると、その外部装置への呼６０３を生成する。その後、管理部６０２は、呼６０３の伝送路を特定する呼情報６０４を生成し、その呼情報６０４を呼６０３に追加する。
【０００７】
利用装置６０１は、無線ネットワークシステムのＲＮＣ（無線回線制御装置：Radio Network Controller）に相当する。
【０００８】
以下、無線ネットワークシステムを例に、ＲＮＣの動作を詳しく説明する。
【０００９】
図７は、無線ネットワークシステムの一例を示したブロック図である。
【００１０】
図７において、無線ネットワークシステムは、ＣＮ（コアネットワーク：Core Network）７０１と、ＲＮＣ７１１および７１２と、ＮｏｄｅＢ（無線基地局装置）７２１ないし７２４とを含む。
【００１１】
ＲＮＣ７１１および７１２は、例えば、ＡＴＭ回線で、ＣＮ７０１と、ＮｏｄｅＢ７２１および７２４とに接続される。
【００１２】
ここで、ＣＮ７０１とＲＮＣ７１１および７１２とを接続するインターフェースは、Ｉｕインターフェースと呼ばれる。また、ＲＮＣ７１１および７１２間を接続するインターフェースは、Ｉｕｒインターフェースと呼ばれる。さらに、ＲＮＣ７１１および７１２とＮｏｄｅＢ７２１ないし７２４とを接続するインターフェースは、Ｉｕｂインターフェースと呼ばれる。
【００１３】
なお、呼情報は、各インターフェースを特定するインターフェース呼情報を含む。インターフェース呼情報には、Ｉｕインターフェースを特定するＩｕ呼情報と、Ｉｕｒインターフェースを特定するＩｕｒ呼情報と、Ｉｕｂインターフェースを特定するＩｕｂ呼情報とがある。
【００１４】
図７の点線で示されるように、ＣＮ７０１がＩｕインターフェースでＲＮＣ７１２と接続され、ＲＮＣ７１２がＩｕｒインターフェースでＲＮＣ７１１と接続され、ＲＮＣ７１１がＩｕｂインターフェースでＮｏｄｅＢ７２１および７２２と接続され、ＮｏｄｅＢがＵＥ（携帯端末：User Equipment）と接続されているとする。なお、ＵＥは、図示していない。
【００１５】
この場合、ＲＮＣ７１２は、サービングＲＮＣ（Serving RNC）と呼ばれ、ＲＮＣ７１１は、ドリフトＲＮＣ（Drift RNC）と呼ばれる。
【００１６】
サービングＲＮＣとは、Ｉｕインターフェースと直接接続されたＲＮＣである。また、ドリフトＲＮＣは、Ｉｕインターフェースとは直接接続されず、ＩｕｒインターフェースおよびＩｕｂインターフェースに直接接続されたＲＮＣである。
【００１７】
なお、所定のＵＥに対して、サービングＲＮＣは一つだけ存在するが、ドリフトＲＮＣは複数存在してもよい。
【００１８】
ＲＮＣ７１１および７１２は、接続要求を受信すると、呼と、その呼の伝送路を特定する呼情報を生成する。
【００１９】
具体的には、ＲＮＣ７１１は、呼と、その呼のＩｕｒインターフェースを特定するＩｕｒ呼情報と、その呼のＩｕｂインターフェースを特定するＩｕｂ呼情報を生成する。
【００２０】
また、ＲＮＣ７１２は、呼と、その呼のＩｕインターフェースを特定するＩｕ呼情報と、その呼のＩｕｂインターフェースを特定するＩｕｒ呼情報を生成する。
【００２１】
以下、Ｉｕｒ呼情報およびＩｕｂ呼情報からなる呼情報を、ドラフトＲＮＣ用の呼情報と呼び、Ｉｕ呼情報およびＩｕｒ呼情報からなる呼情報を、サービングＲＮＣ用の呼情報と呼ぶ。
【特許文献１】特開２００６―２７９６３０号公報
【発明の開示】
【発明が解決しようとする課題】
【００２２】
ＮｏｄｅＢ７２１ないし７２４と接続するＵＥの移動などにより、ＣＮ７０１と、ＮｏｄｅＢ７２１および７２２との間の伝送路を切り替える場合がある。
【００２３】
図８は、伝送路が切り替えられた無線ネットワークシステムの一例を示したブロック図である。なお、図８において、図７と同じものには同じ符号が付してある。
【００２４】
図８では、点線で示されるように、ＣＮ７０１が、ＩｕインターフェースでＲＮＣ７１１と接続され、ＲＮＣ７１１がＩｕｂインターフェースでＮｏｄｅＢ７２１および７２２と接続されている。
【００２５】
図７の点線で示された伝送路が、図８の点線で示された伝送路に切り替えられると、ＲＮＣ７１１は、ドリフトＲＮＣからサービングＲＮＣに切り替えられる。なお、図８では、ドリフトＲＮＣは、存在しない。
【００２６】
このような伝送路の切り替えは、ＳＲＮＳリロケーション（Serving Radio Network Subsystem Relocation）と呼ばれる。以下、ＳＲＮＳリロケーションを、単にリロケーションと呼ぶこともある。
【００２７】
ドリフトＲＮＣとして動作するＲＮＣ７１１は、伝送路の切り替えが要求されると、設定しているドリフトＲＮＣ用の呼を、サービングＲＮＣ用の呼に変更して、サービングＲＮＣになる。
【００２８】
図９は、伝送路の切り替えが要求されたときのＲＮＣ７１１の動作を説明する説明図である。なお、図７の点線で示された伝送路が、図８の点線で示された伝送路に切り替えられるときの動作を例に説明する。
【００２９】
ＲＮＣ７１１の管理部７１１ａは、ドリフトＲＮＣ用の呼９００を格納する。呼９００は、Ｉｕｒインターフェースを特定するＩｕｒ呼情報９０１と、Ｉｕｂインターフェースを特定するＩｕｂ呼情報９０２とを含む。
【００３０】
ＲＮＣ７１１が伝送路を切り替える旨のリロケーション要求を受信してサービングＲＮＣに移行する場合、先ず、管理部７１１ａは、Ｉｕｒ呼情報９０１を削除する。その後、管理部７１１ａは、呼９００のＩｕインターフェースを特定するＩｕ呼情報９０３を生成し、Ｉｕ呼情報９０３を呼９００に追加する。
【００３１】
これにより、呼９００がドリフトＲＮＣ用の呼からサービングＲＮＣ用の呼に切り替えられ、ＲＮＣ７１１がドリフトＲＮＣからサービングＲＮＣに切り替えられる。
【００３２】
しかしながら、このようなリロケーション制御では、ドリフトＲＮＣ用の呼とサービングＲＮＣ用の呼とが独立していないために、制御が困難になる場合がある。
【００３３】
例えば、ＲＮＣ７１１は、Ｉｕｒ呼情報が削除された後で、通信にて異常が発生すると、ＲＮＣ７１１が、その削除されたＩｕｒ呼情報と同じＩｕｒ呼情報を生成して、ドリフトＲＮＣに戻ることは困難である。なお、異常は、例えば、ＵＥとＮｏｄｅＢ７２１および７２２との通信の遮断である。
【００３４】
本発明の目的は、呼の独立性を高め、かつ、リロケーションを行なうことが可能な伝送路資源利用装置および伝送路制御方法を提供することである。
【課題を解決するための手段】
【００３５】
上記の目的を達成するために、本発明の伝送路資源利用装置は、伝送路を特定する第一の呼情報を含む第一の呼を格納する格納部と、前記伝送路を切り替える旨のリロケーション要求を受信する受信部と、前記受信部が前記リロケーション要求を受信すると、前記第一の呼とは別に第二の呼を生成し、該第二の呼に、前記切り替えられた伝送路を特定する第二の呼情報を追加する管理部と、を含む。
【００３６】
また、本発明の伝送路制御方法は、伝送路を特定する第一の呼情報を含む第一の呼を格納する格納部を含む伝送路資源利用装置が行なう伝送路制御方法であって、前記伝送路を切り替える旨のリロケーション要求を受信する受信ステップと、前記リロケーション要求が受信されると、前記第一の呼とは別に第二の呼を生成する生成ステップと、前記第二の呼に、前記切り替えられた伝送路を特定する第二の呼情報を追加する追加ステップと、を含む。
【００３７】
上記の発明によれば、第一の呼とは別に第二の呼が生成され、その第二の呼に第二の呼情報が追加される。
【００３８】
このため、呼の独立性を高め、かつ、リロケーションを行なうことが可能になる。
【００３９】
また、携帯端末と無線通信にて接続された無線基地局装置と接続され、前記無線通信における異常を検知する検知部を含み、前記管理部は、前記受信部が前記リロケーション要求を受信してから前記第二の呼に前記第二の呼情報を追加するまでに前記検知部が異常を検知すると、前記第二の呼を削除することが望ましい。
【００４０】
上記の発明によれば、リロケーション要求が受信されてから第二の呼に第二の呼情報が追加されるまでに異常が検知されると、前記第二の呼が削除される。
【００４１】
このため、リロケーション中に異常が発生しても、容易に元の状態に戻ることが可能になる。
【００４２】
また、前記第一の呼情報は、Ｉｕｒインターフェースを特定するＩｕｒ呼情報と、Ｉｕｂインターフェースを特定するＩｕｂ呼情報とからなり、前記第二の呼情報は、Ｉｕインターフェースを特定するＩｕ呼情報と、前記Ｉｕｂ呼情報とからなることが望ましい。
【００４３】
また、本発明の伝送路資源利用装置は、Ｃプレーンの機能を有するＣプレーン装置と、Ｔプレーンの機能を有するＴプレーン装置とを含む伝送路資源利用装置において、前記Ｃプレーン装置は、前記伝送路を切り替える旨のリロケーション要求を受信する受信部と、前記受信部が受信したリロケーション要求を前記Ｔプレーン装置に送信するＣプレーン管理部と、を含み、前記Ｔプレーン装置は、前記伝送路を特定する第一の呼情報を含む第一の呼を格納する格納部と、前記Ｃプレーン装置から前記リロケーションを受信する接続部と、前記接続部が前記リロケーション要求を受信すると、前記第一の呼とは別に第二の呼を生成し、該第二の呼に、前記切り替えられた伝送路を特定する第二の呼情報を追加するＴプレーン管理部と、を含むことを特徴とする。
【００４４】
また、本発明の伝送路制御方法は、Ｃプレーンの機能を有するＣプレーン装置と、前記通信の伝送路を特定する第一の呼情報を含む第一の呼を格納する格納部を含みＴプレーンの機能を有するＴプレーン装置と、を含む伝送路資源利用装置が行なう伝送路制御方法であって、前記Ｃプレーン装置が、前記伝送路を切り替える旨のリロケーション要求を受信する受付ステップと、前記Ｃプレーン装置が、前記受信されたリロケーション要求を前記Ｔプレーン装置に送信する送信ステップと、前記Ｔプレーン装置が、前記Ｃプレーン装置から前記リロケーションを受信する接続ステップと、前記Ｔプレーン装置が、前記リロケーション要求を受信すると、前記第一の呼とは別に第二の呼を生成する生成ステップと、前記Ｔプレーン装置が、前記第二の呼に、前記切り替えられた伝送路を特定する第二の呼情報を追加する追加ステップと、を含む。
【００４５】
上記の発明によれば、Ｃプレーン装置がリロケーション要求を受信すると、Ｔプレーン装置が、第一の呼とは別に第二の呼を生成し、その第二の呼に第二の呼情報を追加する。
【００４６】
このため、伝送路資利用装置が、Ｃプレーン装置とＴプレーン装置とに分かれていても、呼の独立性を高め、かつ、リロケーションを行なうことが可能になる。
【発明の効果】
【００４７】
本発明によれば、呼の独立性を高め、かつ、リロケーションを行なうことが可能になる。
【発明を実施するための最良の形態】
【００４８】
以下、本発明の実施例について図面を参照して説明する。
【００４９】
図１は、本発明の一実施例の伝送路資源利用装置の構成を示したブロック図である。
【００５０】
図１において、伝送路資源利用装置１００は、通信部１０１と、制御部１０２と、設定部１０３と、伝送路資源管理部１０４とを含む。
【００５１】
本実施例では、伝送路資源利用装置１００は、ドリフトＲＮＣとして動作している。
【００５２】
伝送路資源利用装置１００は、ＣＮ１１０、ＲＮＣ１２０およびＮｏｄｅＢ１３０と接続する。
【００５３】
ＣＮ１１０は、ＧＧＳＮ（ゲートウェイＧＰＲＳサポート・ノード）およびＳＧＳＮ（サービングＧＰＲＳサポート・ノード）を含む。なお、ＧＧＳＮおよびＳＧＳＮは、図示していない。
【００５４】
ＲＮＣ１２０は、サービングＲＮＣとして動作している。ＮｏｄｅＢ１３０は、ＵＥ（図示せず）と無線通信にて接続される。
【００５５】
通信部１０１は、受信部の一例である。
【００５６】
通信部１０１は、ＣＮ１１０から、リロケーション要求を受信する。リロケーション要求は、伝送路を切り替える旨の情報である。なお、リロケーション要求は、例えば、ＳＲＮＳリロケーション要求メッセージである。
【００５７】
制御部１０２は、ＣＮ１１０、ＲＮＣ１２０およびＮｏｄｅＢ１３０との通信および伝送路を制御する。
【００５８】
また、制御部１０２は、ＮｏｄｅＢ１３０およびＵＥを接続する無線通信における異常を検知する。
【００５９】
例えば、ＮｏｄｅＢ１３０およびＵＥの接続が遮断されると、ＮｏｄｅＢ１３０は、ＵＥとの接続が遮断された旨の遮断情報を伝送路資源利用装置１００の通信部１０１に通知する。制御部１０２は、通信部１０１がその遮断情報を受信すると、異常を検知する。
【００６０】
また、制御部１０２は、伝送路資源管理部（以下、管理部と呼ぶ）１０４がリロケーションを終了すると、リロケーションの終了を示す完了メッセージを、通信部１０１を介してＣＮ１１０に送信する。
【００６１】
設定部１０３は、ドリフトＲＮＣ用の呼を格納する。ドリフトＲＮＣ用の呼は、その呼の伝送路を特定するドリフトＲＮＣ用の呼情報を含む。ドリフトＲＮＣ用の呼情報は、Ｉｕｒインターフェースを特定するＩｕｒ呼情報と、Ｉｕｂインターフェースを特定するＩｕｂ呼情報とからなる。なお、ドリフトＲＮＣ用の呼は、第一の呼の一例であり、ドリフトＲＮＣ用の呼情報は、第一の呼情報の一例である。
【００６２】
管理部１０４は、通信部１０１がリロケーション要求を受信すると、リロケーションを行なう。
【００６３】
具体的には、先ず、管理部１０４は、ドリフトＲＮＣ用の呼とは別の新しい呼を生成する。続いて、管理部１０４は、その新しい呼に、切り替えられた伝送路を特定する新しい呼情報を追加して、サービングＲＮＣ用の呼を生成する。その後、管理部１０４は、設定部１０２に格納されたドリフトＲＮＣ用の呼を削除する。
【００６４】
このとき、管理部１０４は、通信部１０１がリロケーション要求を受信してから、その新しい呼に、その新しい呼情報を追加するまでに、制御部１０２が異常を検知すると、リロケーションを中止して、その新しい呼を削除する。
【００６５】
なお、新しい呼情報は、サービングＲＮＣ用の呼情報であり、Ｉｕインターフェースを特定するＩｕ呼情報と、Ｉｕｂ呼情報とからなる。
【００６６】
図２は、リロケーション処理の一例を説明する説明図である。なお、図２において、図１と同じものには同じ符号が付してある。また、図２では、伝送路資源利用装置１００の設定部１０３と、管理部１０４とが示されている。
【００６７】
リロケーション要求が受信される前では、設定部１０３は、ドリフトＲＮＣ用の呼２００を格納する。ドリフトＲＮＣ用の呼２００は、Ｉｕｒインターフェースを特定するＩｕｒ呼情報２０１と、Ｉｕｂインターフェースを特定するＩｕｂ呼情報２０２を含む。
【００６８】
管理部１０４は、通信部１０１がリロケーション要求を受信すると、新しい呼２１０を生成し、新しい呼２１０を設定部１０３に格納する。
【００６９】
続いて、管理部１０４は、制御部１０２にて異常が検知されたか否かを確認する。
【００７０】
異常が検知されると、管理部１０４は、その新しい呼２１０を削除する。
【００７１】
一方、異常が検知されないと、管理部１０４は、Ｉｕインターフェースを特定するＩｕ呼情報２１１を生成し、Ｉｕ呼情報２１１を設定部１０３に格納された新しい呼２１０に追加する。管理部１０４は、Ｉｕ呼情報２１１を新しい呼２１０に追加すると、制御部１０２にて異常が検知されたか否かを確認する。
【００７２】
異常が検知されると、管理部１０４は、新しい呼２１０を削除する。
【００７３】
一方、異常が検知されないと、管理部１０４は、新しい呼２１０に、Ｉｕｂ呼情報２１２を追加して、新しい呼２１０をサービングＲＮＣ用にする。具体的には、管理部１０４は、ドリフトＲＮＣ用の呼２００に含まれるＩｕｂ呼情報２０２を、Ｉｕｂ呼情報２１２として新しい呼２１０に追加する。
【００７４】
管理部１０４は、サービングＲＮＣ用の呼を設定部１０３に生成すると、設定部１０３に格納されたドリフトＲＮＣ用の呼を削除して、リロケーションを終了する。
【００７５】
次に動作を説明する。
【００７６】
図３は、伝送路資源利用装置１００の動作の一例を説明するフローチャートである。
【００７７】
なお、設定部１０３は、ドリフトＲＮＣ用の呼を格納している。
【００７８】
ステップＳ３０１では、管理部１０４は、通信部１０１からリロケーション要求を受信したか否かを確認する。管理部１０４は、リロケーション要求を受信すると、ステップＳ３０２を実行し、リロケーション要求を受信しないと、ステップＳ３０１を実行する。
【００７９】
なお、通信部１０１は、ＣＮ１１０からリロケーション要求を受信すると、そのリロケーション要求を管理部１０４に送信する。
【００８０】
ステップＳ３０２では、管理部１０４は、新しい呼を生成し、その新しい呼を設定部１０３に格納する。管理部１０４は、ステップＳ３０２を終了すると、ステップＳ３０３を実行する。
【００８１】
ステップＳ３０３では、管理部１０４は、制御部１０２にて異常が検知されたか否かを確認する。
【００８２】
具体的には、制御部１０２は、異常を検知すると、その異常検知信号を管理部１０４に送信する。管理部１０４は、制御部１０２から異常検知信号を受け付けたか否かを確認し、その異常検知信号を受け付けると、異常が検知されたと判定し、その異常検知信号を受け付けないと、異常が検知されていないと判定する。
【００８３】
管理部１０４は、異常が検知されないと、ステップＳ３０４を実行し、異常が検知されると、ステップＳ３０７を実行する。
【００８４】
ステップＳ３０４では、管理部１０４は、Ｉｕ呼情報を生成し、そのＩｕ呼情報を設定部１０３に格納された新しい呼に追加する。管理部１０４は、ステップＳ３０４を終了すると、ステップＳ３０５を実行する。
【００８５】
ステップＳ３０５では、管理部１０４は、制御部１０２にて異常が検知されたか否かを確認する。管理部１０４は、異常が検知されないと、ステップＳ３０６を実行し、異常が検知されると、ステップＳ３０７を実行する。
【００８６】
ステップＳ３０６では、管理部１０４は、設定部１０３に格納されたドリフトＲＮＣ用の呼に含まれるＩｕｂ呼情報を、設定部１０３に格納された新しい呼情報に追加して、新しい呼をサービングＲＮＣ用の呼にする。
【００８７】
管理部１０４は、サービングＲＮＣ用の呼を生成すると、設定部１０３に格納されたドリフトＲＮＣ用の呼を削除して、リロケーションを終了する。
【００８８】
管理部１０４は、リロケーションを終了すると、完了メッセージを生成し、その完了メッセージを制御部１０２に送信する。
【００８９】
制御部１０２は、その完了メッセージを受信すると、その完了メッセージを、通信部１０１を介してＣＮ１１０に送信する。
【００９０】
ステップＳ３０７では、管理部１０４は、設定部１０３に格納された新しい呼を削除する。管理部１０４は、ステップＳ３０７を終了すると、ステップＳ３０１を実行する。
【００９１】
本実施例によれば、設定部１０３は、ドリフトＲＮＣ用の呼情報を含む呼を格納する。通信部１０１がリロケーション要求を受信すると、管理部１０４は、その呼とは別に新しい呼を生成し、その新しい呼に、新しい呼情報を追加する。
【００９２】
この場合、呼の独立性を高め、かつ、リロケーションを行なうことが可能になる。
【００９３】
また、本実施例では、管理部１０４は、通信部１０１がリロケーション要求を受信してから、その新しい呼に、その新しい呼情報を追加するまでに、制御部１０２が異常を検知すると、その新しい呼を削除する。
【００９４】
この場合、リロケーション中に異常が発生しても、容易に元の状態に戻ることが可能になる。
【００９５】
次に、Ｃプレーン装置およびＴプレーン装置を含む伝送路資源利用装置について説明する。
【００９６】
ＲＮＣの機能は、ユーザデータを転送するＵプレーン（User-Plane）と、制御信号を転送するシグナリングのためのＣプレーン（Control-Plane）と、伝送路の制御を行なうＴプレーン（Transport-Plane）とに分けることができる。
【００９７】
近年、Ｔプレーンの機能を有するＴプレーン装置と、Ｃプレーンの機能を有するＣプレーン装置と、Ｕプレーンの機能を有するＵプレーン装置とを物理的に分離して制御する分離制御方式が提案されている。
【００９８】
図４は、Ｃプレーン装置およびＴプレーン装置を分離した伝送路資源利用装置の構成の一例を示したブロック図である。なお、Ｕプレーン装置は、本発明と直接関係しないので、図示していない。
【００９９】
以下では、図１で説明した構成と異なる構成について説明する。なお、図４において、図１と同じものには同じ符号が付してある。
【０１００】
図４において、伝送路資源利用装置４００は、Ｃプレーン装置４０１と、Ｔプレーン装置４０２とを含む。
【０１０１】
伝送路資源利用装置４００は、ドリフトＲＮＣとして動作しているものとする。また、伝送路資源利用装置４００は、ＣＮ１１０、ＲＮＣ１２０およびＮｏｄｅＢ１３０と接続する。
【０１０２】
Ｃプレーン装置４０１は、無線制御通信部４１１と、Ｃプレーン管理部４１２と、接続部４１３とを含む。
【０１０３】
無線制御通信部４１１は、ＣＮ１１０、ＲＮＣ１２０およびＮｏｄｅＢ１３０と無線制御信号の送受信を行なう。
【０１０４】
例えば、無線制御通信部４１１は、ＣＮ１１０から、リロケーション要求を受信する。なお、リロケーション要求とは別の無線制御信号の送受信については、本発明の直接関係しないので説明を省略する。
【０１０５】
Ｃプレーン管理部４１２は、無線制御通信部４１１がリロケーション要求を受信すると、そのリロケーション要求を、接続部４１３を介してＴプレーン装置４０２に送信する。
【０１０６】
また、Ｃプレーン管理部４１２は、無線通信における異常を検知する。例えば、Ｃプレーン管理部４１２は、無線制御通信部４１１が遮断情報を受信すると、異常を検知する。
【０１０７】
また、Ｃプレーン管理部４１２は、接続部４１３が完了メッセージを受信すると、その完了メッセージを、無線制御通信部４１１を介してＣＮ１１０に送信する。
【０１０８】
接続部４１３は、Ｔプレーン装置４０２と接続され、Ｔプレーン装置４０２の信号の送受信を行なう。例えば、接続部４１３は、Ｔプレーン装置４０２から完了メッセージを受信する。
【０１０９】
Ｔプレーン装置４０２は、設定部１０３と、伝送路制御通信部４２１と、接続部４２２と、Ｔプレーン管理部４２３とを含む。
【０１１０】
伝送路制御通信部４２１は、ＣＮ１１０、ＲＮＣ１２０およびＮｏｄｅＢ１３０と伝送路制御信号の送受信を行なう。なお、伝送路制御信号の送受信については、本発明の直接関係しないので説明を省略する。
【０１１１】
接続部４２２は、Ｃプレーン装置４０１の接続部４１３からリロケーション要求を受信する。
【０１１２】
Ｔプレーン管理部４２３は、接続部４２２がリロケーション要求を受信すると、リロケーション処理を実行する。なお、Ｔプレーン管理部４２３が行なうリロケーション処理は、管理部１０４が行なうリロケーション処理と同じであるため、説明は省略する。
【０１１３】
なお、管理部１０４は、制御部１０２にて異常が検知されたか否かを確認していたが、Ｔプレーン管理部４２３は、Ｃプレーン管理部４１２にて異常が検知されたか否かを確認する。
【０１１４】
具体的には、Ｃプレーン管理部４１２は、異常を検知すると、異常検知信号を、接続部４１３を介して接続部４２２に送信する。接続部４２２は、その異常検知信号を受信すると、その異常検知信号をＴプレーン管理部４２３に送信する。Ｔプレーン管理部４２３は、接続部４２２から異常検知信号を受け付けたか否かを確認し、その異常検知信号を受け付けると、異常が検知されたと判定し、その異常検知信号を受け付けないと、異常が検知されていないと判定する。
【０１１５】
Ｔプレーン管理部４２３は、リロケーションを完了すると、完了メッセージを生成する。Ｔプレーン管理部４２３は、その完了メッセージを、接続部４２２を介してＣプレーン装置４０１に送信する。
【０１１６】
次に動作を説明する。
【０１１７】
図５は、伝送路資源利用装置４００の動作を説明するためのフローチャートである。
【０１１８】
ステップＳ５０１では、Ｃプレーン管理部４１２は、無線制御通信部４１１からリロケーション要求を受信したか否かを確認する。Ｃプレーン管理部４１２は、リロケーション要求を受信すると、ステップＳ５０２を実行し、リロケーション要求を受信しないと、ステップＳ５０１を実行する。
【０１１９】
なお、無線制御通信部４１１は、ＣＮ１１０からリロケーション要求を受信すると、そのリロケーション要求を管理部１０４に送信する。
【０１２０】
ステップＳ５０２では、Ｃプレーン管理部４１２は、そのリロケーション要求を、接続部４１３を介してＴプレーン装置４０２の接続部４２２に送信する。接続部４２２は、そのリロケーション要求を受信すると、そのリロケーション要求をＴプレーン管理部４２３に送信する。Ｔプレーン管理部４２３は、そのリロケーション要求を受信すると、ステップＳ５０３を実行する。
【０１２１】
ステップＳ５０３では、Ｔプレーン管理部４２３は、リロケーションを実行する。その後、Ｔプレーン管理部４２３は、リロケーションを終了すると、ステップＳ５０４を実行する。
【０１２２】
なお、Ｔプレーン管理部４２３は、リロケーション中に異常が検知されると、新しい呼を削除して待機状態になる。
【０１２３】
ステップＳ５０４では、Ｔプレーン管理部４２３は、完了メッセージを生成し、その完了メッセージを、接続部４２２を介してＣプレーン装置４０１の接続部４１３に送信する。接続部４１３は、その完了メッセージを受信すると、その完了メッセージをＣプレーン管理部４１２に送信する。
【０１２４】
Ｃプレーン管理部４１２は、その完了メッセージを受信すると、その完了メッセージを、無線制御通信部４１１を介してＣＮ１１０に送信する。
【０１２５】
本実施例によれば、Ｃプレーン装置４０１の無線制御通信部４１１がリロケーション要求を受信すると、Ｃプレーン管理部４１２は、そのリロケーション要求をＴプレーン装置４０２に送信する。Ｔプレーン装置４０２の接続部４２２がそのリロケーション要求を受信すると、Ｔプレーン管理部４２３は、設定部１０３に格納された呼とは異なる新しい呼と、その新しい呼の伝送路を特定する新しい呼情報を生成し、その新しい呼情報をその新しい呼に追加する。
【０１２６】
この場合、伝送路資利用装置が、Ｃプレーン装置とＴプレーン装置と分かれていても、呼の独立性を高め、かつ、リロケーションを行なうことが可能になる。
【０１２７】
以上説明した実施例において、図示した構成は単なる一例であって、本発明はその構成に限定されるものではない。
【図面の簡単な説明】
【０１２８】
【図１】本発明の一実施例の伝送路資源利用装置の構成を示したブロック図である。
【図２】リロケーション処理の一例を説明するための説明図である。
【図３】伝送路資源利用装置の動作の一例を説明するフローチャートである。
【図４】本発明の他の実施例の伝送路資源利用装置の構成を示したブロック図である。
【図５】伝送路資源利用装置の他の動作例を説明するためのフローチャートである。
【図６】従来の伝送路資源利用装置の動作を説明するための説明図である。
【図７】無線ネットワークシステムの一例を示したブロック図である。
【図８】伝送路が切り替えられた無線ネットワークシステムの一例を示したブロック図である。
【図９】従来のリロケーションが要求されたときのＲＮＣの動作を説明するための説明図である。
【符号の説明】
【０１２９】
１００    伝送路資源利用装置
１０１    通信部
１０２    制御部
１０３    設定部
１０４    伝送路資源管理部
１１０    ＣＮ
１２０    ＲＮＣ
１３０    ＮｏｄｅＢ
４００    伝送路資源利用装置
４０１    Ｃプレーン装置
４０２    Ｔプレーン装置
４１１    無線制御通信部
４１２    Ｃプレーン管理部
４１３    接続部
４２１    伝送路制御通信部
４２２    接続部
４２３    Ｔプレーン管理部
【図１】
2008109353.tif 000003
【図２】
2008109353.tif 000004
【図３】
2008109353.tif 000005
【図４】
2008109353.tif 000006
【図５】
2008109353.tif 000007
【図６】
2008109353.tif 000008
【図７】
2008109353.tif 000009
【図８】
2008109353.tif 000010
【図９】
2008109353.tif 000011